(57)【特許請求の範囲】
【請求項１】
同一形状に形成された板状のベース部を複数連結して屈曲可能に形成し、これらベース部それぞれに立設されるガイド部内に光ファイバを配置して整線する光ファイバ配線ガイドであって、
ベース部は、板状の本体ベースと、本体ベース平面に対して垂直に立設される軸部と、本体ベース平面に対して垂直な孔である軸支部と、本体ベースに設けられてガイド部を係止させる凹状の係止部と、係止部内に形成される係止孔と、を有し、
ガイド部は、底面部と、底面部下側から突出する係止突起と、底面部の両横側から上側へ立設する二個の側壁部と、二個の側壁部からそれぞれ突設する二個の天井部と、二個の天井部の対向部に形成される開口部と、を有し、
ベース部の係止孔にガイド部の係止突起が挿入されるとともにベース部の凹状の係止部内に底面部が嵌め込まれてベース部にガイド部が連結固定され、かつ、ベース部の軸支部に対して他のベース部の軸部を軸着して複数個に渡り連結したものであることを特徴とする光ファイバ配線ガイド。
【請求項２】
請求項１に記載の光ファイバ配線ガイドにおいて、
前記ベース部は連結される他のベース部の当接部と当接して移動を拘束する拘束部を有し、複数連結したベース部は、当接部が拘束部に接しつつ屈曲させた場合に、曲率半径が最低曲率半径Ｒ以上であるように維持されることを特徴とする光ファイバ配線ガイド。
【請求項３】
請求項１または請求項２に記載の光ファイバ配線ガイドにおいて、
前記二個の天井部の対向部は、開口部へ向かうにつれて先細ることを特徴とする光ファイバ配線ガイド。
【請求項４】
請求項１〜請求項３の何れか一項に記載の光ファイバ配線ガイドにおいて、
前記ガイド部は底面部から天井部までの高さが異なる複数種類のガイド部とし、
底面部と最も低い天井部との間の経路、および、高さが異なるとともに二個の隣接する天井部による経路、という複数経路の間にそれぞれ光ファイバを配置して整線することを特徴とする光ファイバ配線ガイド。
【発明の詳細な説明】
【技術分野】
【０００１】
本発明は、光ファイバの配線に供する光ファイバ配線ガイドに関する。
【背景技術】
【０００２】
光ファイバコードの配線を行うための光ファイバ配線ガイドの従来技術として、例えば、特許文献１（特開２０００−２２４７３０号，発明の名称：ケーブル保護材）が開示されている。この従来技術のケーブル保護材は、長さの短いケーブル保護枠体を多数個にわたり連結して湾曲自在に形成したものである。
【０００３】
【特許文献１】特開２０００−２２４７３０号公報（段落番号０００５〜００１２，図１，図６）
【発明の開示】
【発明が解決しようとする課題】
【０００４】
特許文献１に記載のケーブル保護材は、特許文献１の図１，図６でも示すように、３次元方向に湾曲させるため、球と上下二カ所の孔とにより連結部を構成したものであり、構造が複雑で製造に手間を要するものであった。また、この連結部の上下二カ所の孔に球を入れるためには上下二カ所の孔が移動できるように孔の形成部に弾性を持たせる必要があり、換言すれば、強い力が加わると上下二カ所の孔から球が抜け易いということでもあり、連結部は強度の点で問題もあった。
また、特許文献１に記載のケーブル保護材のケーブル保護枠体は一枚の底板部、二枚の側板部を組み立てる必要があり、この点でも製造に手間を要するという問題もあった。
【０００５】
さらにまた、ケーブル保護枠体は一枚の底板部、左右別構造となる二枚の側板部を有するものであって部品点数が多くなり、また多数のケーブル保護枠体を湾曲可能に連結できるようにするため機械精度を大幅に向上させる必要もあり、これら点から大幅なコスト増大要因ともなっていた。
さらにまた、二枚の側板部内に複数のケーブルを配置した場合であってケーブル本数が多くなると、ケーブルが見分けにくくなり、後に再接続を行うような場合に使い勝手が悪いことがあった。
【０００６】
そこで、本発明は上記の課題を解決するためになされたものであり、その目的は、簡易かつ安価な構造で、機械的強度を増すとともに整線能力も向上させた光ファイバ配線ガイドを提供することにある。
【課題を解決するための手段】
【０００７】
本発明の請求項１に係る光ファイバ配線ガイドは、
同一形状に形成された板状のベース部を複数連結して屈曲可能に形成し、これらベース部それぞれに立設されるガイド部内に光ファイバを配置して整線する光ファイバ配線ガイドであって、
ベース部は、板状の本体ベースと、本体ベース平面に対して垂直に立設される軸部と、本体ベース平面に対して垂直な孔である軸支部と、本体ベースに設けられてガイド部を係止させる凹状の係止部と、係止部内に形成される係止孔と、を有し、
ガイド部は、底面部と、底面部下側から突出する係止突起と、底面部の両横側から上側へ立設する二個の側壁部と、二個の側壁部からそれぞれ突設する二個の天井部と、二個の天井部の対向部に形成される開口部と、を有し、
ベース部の係止孔にガイド部の係止突起が挿入されるとともにベース部の凹状の係止部内に底面部が嵌め込まれてベース部にガイド部が連結固定され、かつ、ベース部の軸支部に対して他のベース部の軸部を軸着して複数個に渡り連結したものであることを特徴とする。
【０００８】
また、本発明の請求項２に係る光ファイバ配線ガイドは、
請求項１に記載の光ファイバ配線ガイドにおいて、
前記ベース部は連結される他のベース部の当接部と当接して移動を拘束する拘束部を有し、複数連結したベース部は、当接部が拘束部に接しつつ屈曲させた場合に、曲率半径が最低曲率半径Ｒ以上であるように維持されることを特徴とする。
【０００９】
また、本発明の請求項３に係る光ファイバ配線ガイドは、
請求項１または請求項２に記載の光ファイバ配線ガイドにおいて、
前記二個の天井部の対向部は、開口部へ向かうにつれて先細ることを特徴とする。
【００１０】
また、本発明の請求項４に係る光ファイバ配線ガイドは、
請求項１〜請求項３の何れか一項に記載の光ファイバ配線ガイドにおいて、
前記ガイド部は底面部から天井部までの高さが異なる複数種類のガイド部とし、
底面部と最も低い天井部との間の経路、および、高さが異なるとともに二個の隣接する天井部による経路、という複数経路の間にそれぞれ光ファイバを配置して整線することを特徴とする。
【発明の効果】
【００１２】
以上のような本発明によれば、簡易かつ安価な構造で、機械的強度を増すとともに整線能力も向上させた光ファイバ配線ガイドを提供することができる。
【発明を実施するための最良の形態】
【００１３】
本発明を実施するための最良の形態について図に基づいて以下に説明する。図１は本形態の光ファイバ配線ガイドの斜視外観図である。
光ファイバ配線ガイド１０は、多数のガイド単体が連結されて屈曲可能に形成されたものである。このガイド単体とは、一個のベース部１００に一個のガイド部２００を立設させた構造体である。光ファイバ配線ガイド１０は、これらベース部１００それぞれに立設されるガイド部２００内に配置された光ファイバ（図示せず）を整線する機能を有する。
【００１４】
続いて各部の詳細について説明する。まず、ベース部１００について図を参照しつつ説明する。図２はベース部の構造図であり、図２（ａ）は斜視平面図、図２（ｂ）は斜視底面図である。図３は、ベース部の構造図であり、図３（ａ）は平面図、図３（ｂ）は側面図、図３（ｃ）はＡ−Ａ線断面図、図３（ｄ）は底面図である。
【００１５】
ベース部１００は、図２，図３で示すように、本体ベース１０１、スライド面１０２、軸支部１０３、拘束部１０４、当接部１０５、係止部１０６、スライド面１０７、軸部１０８、拘束部１０９、当接部１１０を備えている。ベース部１００は、弾性を有する合成樹脂などによりこれら本体ベース１０１、スライド面１０２、軸支部１０３、拘束部１０４、当接部１０５、係止部１０６、スライド面１０７、軸部１０８、拘束部１０９、当接部１１０が一体に形成されている。
【００１６】
本体ベース１０１は、側面から見て板状であり、平面から見て長円状の基礎ベース部材である。この本体ベース１０１は各種の構成が一体に形成される。図２（ａ）が表側（平面）であり、図２（ｂ）が裏側（底面）である。
スライド面１０２は、本体ベース１０１に形成される水平面である。
軸支部１０３は、スライド面１０２に形成された貫通孔である。軸支部１０３は、スライド面１０２に対して垂直な孔である。
【００１７】
拘束部１０４は、スライド面１０２の周囲にて立設される湾曲した側壁である。
当接部１０５は、後述するがスライド面１０２下方の側面部が該当する。
係止部１０６は、ガイド部２００の取付位置を決定する溝である。ガイド部２００を固着するための係止孔１０６ａが形成されている。
【００１８】
スライド面１０７は、スライド面１０２が形成された表側とは反対の裏側にて本体ベース１０１に形成される水平面である。スライド面１０７とスライド面１０２とは、平行面である。
軸部１０８は、スライド面１０７に対して垂直に形成された軸部である。この軸部は中心軸に貫通孔が形成されるとともに、切れ込み部１０８ａも形成されており、軸部１０８を軸支部１０３に入れる際に軸部１０８を小さくして嵌着し易いように配慮している。
拘束部１０９は、スライド面１０７の周囲にて立設される湾曲した側壁である。
当接部１１０は、後述するがスライド面１０７下方の側面部が該当する。
【００１９】
続いて、ベース部１００の連結について図を参照しつつ説明する。図４は連結されたベース部の移動拘束を説明する説明図である。図５は光ファイバ配線ガイドの連結構造およびその連結構造の曲率半径を説明する説明図である。
ベース部１００の軸支部１０３に対して、他のベース部の軸部１０８が嵌め込まれて連結される。この場合に平行面であるスライド面１０２とスライド面１０７とが接するため円滑に回転自在となるが、図４で示すように、拘束部１０４と当接部１１０が接触してある角度を超える回転ができないように移動が拘束される。そして、裏側の拘束部１０９と当接部１０５とも接触してある角度を超える回転ができないように移動が拘束される。これら角度は同じに設定され、表裏両側で同時に移動が拘束されるようにしており、拘束が確実になされるようにしている。光ファイバは曲率半径が小さくなる、つまりカーブがきつくなるにつれて伝送損失が生じるが、上記した移動拘束により、図５に示すように曲率半径が最低曲率半径Ｒを下回らないようにして、きついカーブを形成しないようにし、光ファイバが過剰に折り曲げられないようにする。このような最低曲率半径としてはＲ＝３０ｍｍが選択される。なお、最低曲率半径Ｒは３０ｍｍを下回らなければよいというものであり、例えばＲ＝３５ｍｍというように光ファイバに伝送損失が生じる曲率半径よりも緩やかになるように余裕を持たせた最低曲率半径を選択しても良い。
【００２０】
また、軸支部１０３に軸部１０８を嵌め込む構造であるため、軸支部１０３および軸部１０８の中心軸（回転軸）方向に不要な力が加わると連結が外れるおそれがあるが、軸支部１０３および軸部１０８の半径方向の力に対しては十分に強い構造体となる。この光ファイバ配線ガイド１０は後述するが回転時など半径方向に力が加わることが多いが、十分な強度を確保しているため特に連結が外れることなく移動することができる。したがって、光ファイバ配線ガイド１０は、移動により折れ曲がったとしても、内部にある光ファイバの整線を維持し、また、過剰に折れ曲がる事態を防止する。
【００２１】
続いてガイド部２００について説明する。図６はガイド部の構造図であり、図６（ａ）は低背型のガイド部の正面図、図６（ｂ）は低背型のガイド部の側面図、図６（ｃ）は高背型のガイド部の正面図、図６（ｄ）は高背型のガイド部の側面図である。まず、低背型のガイド部２００について説明する。
【００２２】
ガイド部２００は、図６（ａ），（ｂ）で示すように、底面部２０１、側面部２０２、天井部２０３、開口部２０４を備える。ガイド部２００は、弾性を有する合成樹脂などにより底面部２０１、二個の側面部２０２、二個の天井部２０３が一体に形成されている。
底面部２０１は長板であり、下面には係止突起２０１ａが一体に形成されている。また、底面部２０１は、ベース部１００の係止部１０６と同じ形状であり、この係止部１０６内に嵌め込まれ、係止突起２０１ａが係止孔１０６ａに固定されて取り付けられるようになされている。
側面部２０２は、底面部２０１の側面に連接された状態で立設される。側面部２０２は底面部２０１の両側で二個形成される。
【００２３】
天井部２０３は、側面部２０２から突設される。二個の側面部２０２に対してそれぞれ二個の天井部２０３が形成される
開口部２０４は、二個の天井部２０３の対向部に形成される孔である。二個の天井部２０３は、図６（ａ）でも明らかなように開口部２０４へ向かうにつれて先細るようになされており、外から中へは光ファイバを入れやすいが、中から外へは光ファイバを出しにくいように配慮している。なお、光ファイバをガイド部２００の中から引き出すときは開口部２０４を押し広げて拡開すれば良く、整線作業を容易にしている。
【００２４】
なお、図６（ｃ），（ｄ）で示すガイド部２００は、高背型のガイド部２００である。このガイド部２００は二個の側面部２０２が長い点以外は先に説明した低背型のガイド部２００と同じ構成であり、重複する説明を省略する。
【００２５】
続いてガイド部２００により形成される経路について図を参照しつつ説明する。図７，図８はガイド部により形成される経路の説明図である。図７に示すように高背型のガイド部２００と低背型のガイド部２００を準備する。例えば図１で示したように高背型と低背型とのガイド部２００を交互に配置したものとする。ここで光ファイバ配線ガイド１０が直線状であるとしたとき、図７に示すように、開口面側から見ると底面部２０１、低背型のガイド部の天井部２０３および両側の側面部２０２により第一経路３０１が形成され、また、低背型のガイド部２００の天井部２０３、高背型のガイド部の天井部２０３および両側の側面部２０２により第二経路３０２が形成される。このような二経路を用いることでルート分け配線が容易になる。
【００２６】
なお、このような経路形成は高背型と低背型とのガイド部２００を交互に配置するのみならず、例えば高背型のガイド部２００を続けて二個配置し、次に低背型のガイド部２００を続けて二個配置し、以下同様に二個づつ並べて高背型と低背型とのガイド部２００を交互に配置するようにしても本発明の実施は可能である。高背型と低背型とのガイド部２００の配置は距離を空けすぎない限り適宜選択が可能である。
【００２７】
また、他の例について説明する。図８で示すように低背型のガイド部２００、中背型のガイド部２００、高背型のガイド部２００をそれぞれ準備する。例えば低背型→中背型→高背型という順序でガイド部２００を繰り返し配置したものとする。ここで光ファイバ配線ガイドが直線状であるとした場合、開口面側から見ると底面部２０１、低背型のガイド部の天井部２０３および両側の側面部２０２により第一経路３０１が形成され、低背型のガイド部２００の天井部２０３、中背型のガイド部の天井部２０３および両側の側面部２０２により第二経路３０２が形成され、中背型のガイド部２００の天井部２０３、高背型のガイド部の天井部２０３および両側の側面部２０２により第三経路３０３が形成される。このような三経路を用いることでルート分け配線がさらに容易になる。
【００２８】
なお、このような経路形成は低背型、中背型、高背型の順序でガイド部２００を繰り返し配置するのみならず、例えば低背型のガイド部２００を続けて二個配置し、次に中背型のガイド部２００を続けて二個配置し、次に高背型のガイド部２００を続けて二個配置し、以下同様に二個づつ並べて低背型、中背型、高背型のガイド部２００を繰り返し配置するようにしても本発明の実施は可能である。低背型、中背型、高背型のガイド部２００の配置は距離を空けすぎない限り適宜選択が可能である。
【００２９】
続いて、光ファイバ配線ガイドの使用例である光パッチパネルについて図を参照しつつ説明する。図９は収納時の光パッチパネルの説明図、図１０は引き出し時の光パッチパネルの説明図である。
この光パッチパネル１は、例えば１９インチラックなどに実装され、光ファイバケーブルを固定した状態でスライドできるようになされている。なお、この光パッチパネル１は、縦置きを前提としたものであるが、図示しないが横置き構成としても良い。
【００３０】
光パッチパネル１は、先に説明した本形態の光ファイバ配線ガイド１０、パネル収容部、パネル本体３０、クランプ部４０、余長部５０、アダプタパネル６０、スライドレール７０、ラック固定部８０を備えている。このような光パッチパネル１に収納される光ファイバケーブルは、一例として、先端に４８個のアダプタを備え、それぞれのアダプタに接続される光ファイバの単心コードを単心分岐部にて４本毎に集めて光ファイバの４心コード部とし、光ファイバの４心コード部をさらにケーブル分岐部にて全て集めて単線ケーブルとするような光ファイバケーブルであるものとして説明する。なお、他の形態の光ファイバケーブルであって良いことはいうまでもない。
【００３１】
パネル収容部２０は、例えば、図９（ａ）の正面から見たときに略Ｃ字状の構造体である。
パネル本体３０は、板状の部材であり、プラスチックや金属などの部材にて構成されている。パネル本体３０はパネル収容部２０内に収容されるようになされている。パネル本体３０には、図示しないが光ファイバ配線ガイド１０の両端を支持する支持部が設けられている。この支持部として、例えば、先に挙げた軸部や軸支部とすることで、光ファイバ配線ガイド１０は、パネル本体３０に対して回転移動や湾曲が可能に支持されることとなる。なお、これらのパネル収容部２０およびパネル本体３０の形状は、図９，図１０で示したものに限定されるものでなく、各種形状を採用できる。
【００３２】
クランプ部４０は、パネル本体３０に固定され、光ファイバのケーブル分岐部をクランプする。光パッチパネル１の導入口へは一本の光ファイバケーブルが導入されることとなる。
そして本形態の光ファイバ配線ガイド１０は、複数の４心コード部をそのガイド部２００内に収納する。先に説明した複数経路部に分けて配置することでルート分け配線を実現し、整理を容易にしている。
【００３３】
余長部５０は、４心コード部を巻き回して収容したものである。そして余長部５０の周囲に単心分岐部を配置し、この単心分岐部から単心コードを引き出してアダプタ６１にそれぞれ接続している。
アダプタパネル６０は、これら４８個のアダプタ６１が連結固定されている。アダプタ６１は、それぞれ図示しないプラグが接続されて光ファイバの接続を行う。
【００３４】
スライドレール７０は、スライド機能を有するものであり、図９，図１０に示すようにパネル収容部２０とパネル本体３０との間に介在して上下に連結される。このような構造ではパネル収容部２０に対してパネル本体３０がスライド可能に構成される。
ラック固定部８０は光パッチパネル１を収容する１９インチラック本体に固定される。
【００３５】
このような構成の光パッチパネル１は、通常時には図９（ｂ）に示すようにラック本体に収容されている。そして、接続作業を行う場合に光パッチパネル１のパネル本体３０を引き出すと、スライドレール７０により滑らかにパネル本体３０が引き出されて、図１０に示すようにパネル本体３０が引き出された状態となる。この引き出し時に光ファイバ配線ガイド１０は図９のような曲がった状態から図１０のような伸びた状態となるが光ファイバ配線ガイド１０は全ての箇所で光ファイバに影響のないように緩やかな曲げ状態となっており、光ファイバに不用意な曲げを与えるおそれがない。さらに、光ファイバ配線ガイド１０の自重や移動により生じる力が軸支部１０３と軸部１０８とに加わるが、この場合に軸方向には加わる力は少なく半径方向には大きな力が加わるというものであり、軸支部１０３と軸部１０８とではこられ力に十分抗するように支持できるため、抜けたりして整線が乱れたり過剰に曲がるようなおそれを低減している。
【００３６】
以上、本発明の光ファイバ配線ガイド１０について説明した。なお、光ファイバ配線ガイド１０は光パッチパネルのみならず、光配線盤、光配線箱など各種装置に適用することができる。
また、配線経路を複数形成する構成について説明したが、同じ高さのガイド部２０のみを用いて一の経路の光ファイバ配線ガイド１０とすることができる。本発明の光ファイバ配線ガイド１０は一または複数の経路を選択形成できる点も従来にない優れた利点となっている。そして一のみの経路も低背型のガイド部２００を採用する狭い経路、中背型のガイド部２００を採用する中間広さの経路、高背型のガイド部２００を採用する広い経路の選択も可能となっている。
また、光パッチパネル内に軸部や軸支部を設けることで光ファイバ配線ガイド１０を光パッチパネルなどから取り外し可能として、配線作業を容易に行うことができる。
【図面の簡単な説明】
【００３７】
【図１】本発明を実施するための最良の形態の光ファイバ配線ガイドの斜視外観図である。
【図２】ベース部の構造図であり、図２（ａ）は斜視平面図、図２（ｂ）は斜視底面図である。
【図３】ベース部の構造図であり、図３（ａ）は平面図、図３（ｂ）は側面図、図３（ｃ）はＡ−Ａ線断面図、図３（ｄ）は底面図である。
【図４】連結されたベース部の移動拘束を説明する説明図である。
【図５】光ファイバ配線ガイドの連結構造およびその連結構造の曲率半径を説明する説明図である。
【図６】ガイド部の構造図であり、図６（ａ）は低背型のガイド部の正面図、図６（ｂ）は低背型のガイド部の側面図、図６（ｃ）は高背型のガイド部の正面図、図６（ｄ）は高背型のガイド部の側面図である。
【図７】ガイド部により形成される経路の説明図である。
【図８】ガイド部により形成される経路の説明図である。
【図９】収納時の光パッチパネルの説明図である。
【図１０】引き出し時の光パッチパネルの説明図である。
【符号の説明】
【００３８】
１０：光ファイバ配線ガイド
１００：ベース部
１０１：本体ベース
１０２：スライド面
１０３：軸支部
１０４：拘束部
１０５：当接部
１０６：係止部
１０６ａ：係止孔
１０７：スライド面
１０８：軸部
１０８ａ：切れ込み部
１０９：拘束部
１１０：当接部
２００：ガイド部
２０１：底面部
２０１ａ：係止突起
２０２：側面部
２０３：天井部
２０４：開口部
３０１：第一経路
３０２：第二経路
３０３：第三経路
２０：パネル収容部
３０：パネル本体
４０：クランプ部
５０：余長部
６０：アダプタパネル
６１：アダプタ
７０：スライドレール
８０：ラック固定部
【図１】
0005164207.tif 000002
【図２】
0005164207.tif 000003
【図３】
0005164207.tif 000004
【図４】
0005164207.tif 000005
【図５】
0005164207.tif 000006
【図６】
0005164207.tif 000007
【図７】
0005164207.tif 000008
【図８】
0005164207.tif 000009
【図９】
0005164207.tif 000010
【図１０】
0005164207.tif 000011